(57)【特許請求の範囲】
【請求項１】
設置されたときに下面となる側に開口部分を有する筐体と、
前記筐体の下面側に取り付けられ、前記開口部分に対応する位置に矩形状に開口する吸込口を有する化粧パネルと、
前記化粧パネルの前記吸込口の縁を形成する４辺のうちの対向する二辺に、それぞれ相対するように取り付けられたレバーと、
前記筐体の前記開口部分に設けられ、前記レバーが掛けられるフックと、
を備え、
前記化粧パネルは、
前記レバーが取り付けられる位置に、前記化粧パネルの平面に対して垂直方向に形成された落込み穴部と、
前記落込み穴部を中心に、前記化粧パネルの平面に対して水平方向で、且つ、前記中心から離れる両方向に延び、下面部に開口する軸受溝部と、
を有し、
前記レバーは、
前記落込み穴部内を上下方向に移動可能であり、
前記フックに掛かる引掛け部及び両端の軸部を備え、
前記引掛け部が前記化粧パネルの前記落込み穴部から上方に突出し、
前記軸部が前記化粧パネルの前記軸受溝部に収容される、
空気調和機用室内機。
【請求項２】
前記レバーは、
前記軸部が前記軸受溝部に回動可能に収容される、
請求項１に記載の空気調和機用室内機。
【請求項３】
前記レバーは、
前記軸部及び前記引掛け部の間に形成された操作部を有し、
前記操作部が操作されることで前記引掛け部が回動する、
請求項１又は２に記載の空気調和機用室内機。
【請求項４】
前記化粧パネル及び前記筐体は、
前記フックに前記レバーを掛けた後、ねじにより固定される、
請求項１〜３のいずれか一項に記載の空気調和機用室内機。
【請求項５】
請求項１〜４のいずれか一項に記載の空気調和機用室内機と、室外機とを備え、
前記空気調和機用室内機は、室内熱交換機を備え、
前記室外機は、室外熱交換機、圧縮機、絞り装置を備え、
前記室内熱交換機と前記室外機とが配管接続されて冷媒回路を構成する、
空気調和機。
【発明の詳細な説明】
【技術分野】
【０００１】
本発明は、空気調和機用室内機及び空気調和機に関し、特に空気調和機用室内機に化粧パネルを仮掛けする構造に関するものである。
【背景技術】
【０００２】
従来の空気調和機において、例えば四方向カセット形の室内機は、天井裏の空間に室内機本体を吊下げ、室内機本体の室内に向いている面に化粧パネルを取り付けて覆う構造となっている。例えば、特許文献１、特許文献２には、室内機本体に化粧パネルを取り付ける際、室内機本体に設けたＬ字状の仮掛けフックに化粧パネルの吸込口の縁部分の２箇所に配置された仮掛けレバーを引掛けることが提案されている。仮掛け状態となった化粧パネルは、その後、室内機本体にねじ固定される。室内機本体に固定された化粧パネルを取り外す際には、化粧パネルのねじ固定を解除し、仮掛け状態にする。その後、化粧パネルを持ち上げながら仮掛けレバーの引掛かりを外して室内機本体から化粧パネルを取り外す。
【先行技術文献】
【特許文献】
【０００３】
【特許文献１】特開２０１５−０２１６６２号公報
【特許文献２】特開２０１４−２１５０２４号公報
【発明の概要】
【発明が解決しようとする課題】
【０００４】
化粧パネルを天井内部にある室内機本体に取り付ける際には、天井の穴や向きに合わせるため、化粧パネルを仮掛けした状態で化粧パネルの傾きや位置を微調整することがある。化粧パネルを特許文献１、特許文献２の仮掛けレバーにより仮掛けした状態で化粧パネルの位置などを微調整すると、化粧パネルの移動とともに仮掛けレバーも移動して仮掛けレバーと仮掛けフックとの位置関係が変化することになる。その結果、意図せず仮掛けレバーから仮掛けフックが外れ易くなるため、微調整などをする際には、仮掛けが外れてしまわないように注意して作業を行う必要がある。また、仮掛けが外れた状態のまま固定された化粧パネルは、取り外すために固定ねじを解除すると、仮掛けされていない状態で化粧パネルが取り外されてしまうことになるため、作業者の安全が損なわれることになる。【０００５】
本発明は、化粧パネルの取付時のパネル位置の微調整の際や取り外しの際にも仮掛け状態を維持することができる空気調和機用室内機及び空気調和機を提供することを目的とする。
【課題を解決するための手段】
【０００６】
本発明に係る空気調和機用室内機は、設置されたときに下面となる側に開口部分を有する筐体と、前記筐体の下面側に取り付けられ、前記開口部分に対応する位置に矩形状に開口する吸込口を有する化粧パネルと、前記化粧パネルの前記吸込口の縁を形成する４辺のうちの対向する二辺に、それぞれ相対するように取り付けられたレバーと、前記筐体の前記開口部分に設けられ、前記レバーが掛けられるフックと、を備え、前記化粧パネルは、前記レバーが取り付けられる位置に、前記化粧パネルの平面に対して垂直方向に形成された落込み穴部と、前記落込み穴部を中心に、前記化粧パネルの平面に対して水平方向で、且つ、前記中心から離れる両方向に延び、下面部に開口する軸受溝部と、を有し、前記レバーは、前記落込み穴部内を上下方向に移動可能であり、前記フックに掛かる引掛け部及び両端の軸部を備え、前記引掛け部が前記化粧パネルの前記落込み穴部から上方に突出し、前記軸部が前記化粧パネルの前記軸受溝部に収容されるものである。
【発明の効果】
【０００７】
本発明に係る空気調和機用室内機によれば、化粧パネルの吸込口縁部の対向する二辺に１組のレバーを設け、レバーが挿通する化粧パネルの落込み穴部を介してレバーを回動させ、レバーを化粧パネルに垂直にする。レバーは、重力により化粧パネルの落込み穴部内を移動して落ち込み、筐体のフックに引掛かり、その状態が維持されるため、化粧パネルを手で支えながら容易に仮掛けすることができる。引掛けられた化粧パネルが上下方向に移動すると、レバーは落込み穴部内を移動し、レバーとフックとの位置関係は変化しない。そのため、化粧パネルの位置の微調整や取り外しなどの際に仮掛け状態を維持することができ、仮掛けレバーが意図せず仮掛けフックから外れることも防止できる。
【図面の簡単な説明】
【０００８】
【図１】本発明の実施の形態１に係る空気調和機用室内機の分解斜視図である。
【図２】図１の仮掛けレバーの仮掛け前の状態を示す拡大図である。
【図３】図１の筐体に化粧パネルを仮掛けした状態を示す図である。
【図４】図３の仮掛けレバーが仮掛けされる直前の拡大図である。
【図５】図４のＡ―Ａ断面図である。
【図６】図３の仮掛けレバーが仮掛けされた状態の拡大図である。
【図７】図６のＢ―Ｂ断面図である。
【図８】本発明の実施の形態２に係る空気調和機の構成例を表す図である。
【発明を実施するための形態】
【０００９】
実施の形態１．
図１は、本発明の実施の形態１に係る空気調和機用室内機２０の分解斜視図である。以下の説明においては、空気調和機用室内機を室内機２０と称して説明する。本実施の形態における室内機２０は、冷媒配管により室外機と接続され、室外機とともに冷媒回路に冷媒を循環させて冷凍、空気調和等を行う空気調和機を構成する。なお、本実施の形態の室内機２０は、天井埋め込み型の室内機であり、以下では、その一例として四方向カセット形の室内機について説明する。
【００１０】
図１に示すように、本実施の形態に係る室内機２０は室内空間１の天井内部に埋め込まれて設置されるものである。以下の説明においては、天井を上とし、天井から室内空間１を見た方向を下として説明する。室内機２０は、室内送風機、室内熱交換器等を収容する筐体２と、化粧パネル３と、吸込グリル４とにより構成されている。筐体２は、室内送風機が駆動したときに空気を整流するためのベルマウス５を有し、ベルマウス５は筐体２に形成された開口に配置されている。筐体２のベルマウス５よりも外側の部分には、化粧パネル３を仮掛けする一対の仮掛けフック９が設けられている。
【００１１】
化粧パネル３は、室内側となる筐体２の下面に筐体２を覆い隠すように取り付けられる。化粧パネル３の中央部分には、筐体２の開口に対応する位置に矩形状の開口が設けられ、室内送風機の駆動により室内空気が吸い込まれる吸込口空間６を形成している。吸込口空間６は、吸込グリル４により覆われている。吸込口空間６を仕切る四辺の縁は、吸込口縁部７を構成している。各吸込口縁部７の外側には、室内熱交換器を通過した空気を室内に吹き出す吹出口１１が設けられている。
【００１２】
四辺の吸込口縁部７の内、２組の対向する辺のいずれか１対の辺のそれぞれには、化粧パネル３を貫通し上面から突出する仮掛けレバー８が取り付けられている。各仮掛けレバー８は、対向する二辺に平行で吸込口空間６の中心を通る線について線対称な、相対する位置に配置され、仮掛けレバー８に対向した位置に配置された筐体２の仮掛けフック９に仮掛けされる。仮掛けレバー８及び仮掛けフック９は、本発明のレバー及びフックに相当するものである。
【００１３】
図２は、図１の仮掛けレバー８の仮掛け前の状態を示す拡大図である。図２に示すように、化粧パネル３の吸込口縁部７に取り付けられた仮掛けレバー８は、仮掛け前の状態において吸込口空間６側に迫り出すように傾斜している。具体的には、仮掛けレバー８は、上端部が化粧パネル３の平面に垂直な方向に対し吸込口空間６側に傾斜している。
【００１４】
吸込口縁部７には、仮掛けレバー８が挿通する落込み穴部７ｃと、落込み穴部７ｃから連続する軸受溝部７ａ及び７ｂとが形成される。落込み穴部７ｃは、化粧パネル３の平面に対して垂直方向に形成された矩形状の穴であり、仮掛けレバー８が落込み穴部７ｃ内部を上下に移動することができる。軸受溝部７ａ及び７ｂは、落込み穴部７ｃを中心に、化粧パネル３の平面に対して水平に、吸込口縁部７に沿う方向に延びる溝であり、化粧パネル３の下面に開口している。
【００１５】
仮掛けレバー８は、仮掛けフック９に引掛けられる引掛け部８ａと、仮掛けレバー８の両端部の軸部８ｂ及び８ｃと、それらをつなぐ操作部８ｄとから構成され、例えば鉄線などを加工して形成される。仮掛けレバー８は、弾性変形させた部材を化粧パネル３の落込み穴部７ｃに挿通し、軸部８ｂ及び８ｃを軸受溝部７ａ及び７ｂに差し込んで化粧パネル３の吸込口縁部７に取り付けられている。仮掛けレバー８は、例えば、一本の鉄線を折り曲げて構成される。一本の鉄線は、中央部が引掛け部８ａ、両端部が軸部８ｂ及び８ｃ、そして、それらをつなぐ部分が操作部８ｄとしてそれぞれ機能する。
【００１６】
引掛け部８ａは、Ｕ字状であり筐体２の仮掛けフック９に引掛かるための空間８ｅを有する。軸部８ｂ及び８ｃは、仮掛けレバー８の両端部に位置する。軸部８ｂ及び８ｃは、軸受溝部７ａ及び７ｂに回動可能に収容され、仮掛けレバー８が回動する際の回転軸となる。操作部８ｄは、引掛け部８ａと軸部８ｂ及び８ｃとをつなぐ２本の鉄線で構成され、落込み穴部７ｃに対応する位置に幅方向のくびれを有する。操作部８ｄは、作業者が化粧パネル３を手で支えながら落込み穴部７ｃを介して下面から操作部８ｄに指を添え、仮掛けレバー８を回動させる操作、またはスライド操作などを行うことを可能にするために設けられる。
【００１７】
仮掛けレバー８の具体的な形状の一例を説明する。仮掛けレバー８を形成する一本の鉄線は、引掛け部８ａとなる中央部が空間８ｅを形成しながらＵ字状に折り曲げられる。鉄線は、引掛け部８ａの両端の位置で中心に向かい近接するように折り曲げられてくびれを有する操作部８ｄとなる。操作部８ｄは、引掛け部８ａに連続している。更に、鉄線は、操作部８ｄのくびれが終わるそれぞれの端部から直角に、それぞれ反対方向に延びるように折り曲げられて軸部８ｂ及び８ｃとなる。引掛け部８ａと、操作部８ｄとは落込み穴部７ｃに挿入され、軸部８ｂ及び８ｃは軸受溝部７ａ及び７ｂに収容されて、仮掛けレバー８が吸込口縁部７に取り付けられる。
【００１８】
続いて、仮掛けレバー８を仮掛けフック９に仮掛し、化粧パネル３を筐体２に据え付ける工程について説明する。図３は、図１の筐体２に化粧パネル３を仮掛けした状態を示す図である。図３に示すように、化粧パネル３の四隅には、化粧パネル３をねじで固定するための据付ねじ部１０が設けられている。筐体２に化粧パネル３を固定して据え付ける際には、まず、化粧パネル３を筐体２の下方に位置させ、化粧パネル３を上昇させて筐体２に近づける。
【００１９】
図４は、図３の仮掛けレバー８が仮掛けされる直前の拡大図である。また、図５は、図４のＡ―Ａ断面図である。図４及び図５に示すように、上昇させた化粧パネル３は、操作部８ｄが操作され、吸込口空間６側に迫り出すように傾斜していた引掛け部８ａが吸込口縁部７側に回動する。操作部８ｄの操作は、作業者が化粧パネル３の吸込口縁部７を持ちながら落込み穴部７ｃを介して行う。仮掛けレバー８は、操作部８ｄに指を添えるなどの操作により回動し、化粧パネル３に対して垂直な仮掛けされる直前の状態となる。
【００２０】
図６は、仮掛けレバー８が仮掛けされた状態の拡大図である。また、図７は、図６のＢ―Ｂ断面図である。図６及び図７に示すように、化粧パネル３に垂直な仮掛けレバー８は、重力により仮掛けされる直前の状態から吸込口縁部７に形成された落込み穴部７ｃ内を下方に移動し、落込み穴部７ｃに落ち込む。仮掛けレバー８が下方に移動すると、仮掛けレバー８の引掛け部８ａは仮掛けフック９に引掛かり、仮掛けレバー８が仮掛けフック９に仮掛けされる。仮掛けフック９の先端は鉤状になっており、仮掛けレバー８が誤って吸込口空間６側に回動し、仮掛けレバー８が外れることが防止される。
【００２１】
仮掛けされた状態の化粧パネル３は、下方に移動し、仮掛けレバー８の軸部８ｂ及び８ｃと軸部８ｂ及び８ｃを収容する化粧パネル３の軸受溝部７ａ及び７ｂとが係合する。この状態では、化粧パネル３は、軸受溝部７ａ及び７ｂに軸部８ｂ及び８ｃが係合した位置より下方への移動が制限され、操作者は化粧パネル３を支えなくてもよくなる。化粧パネル３が係合した位置から上方に移動すると、仮掛けレバー８が落込み穴部７ｃ内を移動し、軸受溝部７ａ及び７ｂと軸部８ｂ及び８ｃとの係合が解除されて軸部８ｂ及び８ｃが軸受溝部７ａ及び７ｂ内を下方に移動する。これにより、軸受溝部７ａ及び７ｂが上方に移動しても、軸部８ｂ及び８ｃは化粧パネル３の移動に連動して移動しないこととなり、仮掛けレバー８と仮掛けフック９との位置関係が維持される。例えば、化粧パネル３の高さや配置位置を調整する際に化粧パネル３を上下に移動させても、仮掛けされた状態が維持され、仮掛けレバー８を仮掛けフック９から外れることがない。
【００２２】
化粧パネル３を仮掛けし、調整を行った後は、化粧パネル３の据付ねじ部１０を介して筐体２と化粧パネル３とをねじで締結し、化粧パネル３を筐体２に固定する。据付ねじ部１０を締結すると、化粧パネル３が筐体２に近接し、化粧パネル３の位置が上方に移動する。このときも、仮掛けされた状態の仮掛けレバー８は、化粧パネル３の落込み穴部７ｃを移動し、化粧パネル３に連動しないため、仮掛けレバー８が仮掛けフック９に掛かった状態が維持される。
【００２３】
化粧パネル３を筐体２から取り外す際には、据付ねじ部１０の締結が解除され、化粧パネル３が筐体２に仮掛けされた状態にする。この状態で化粧パネル３を持ち上げ、操作部８ｄを操作して仮掛けレバー８を回動させ、引掛け部８ａが吸込口空間６側に迫り出すように傾斜した図２の状態にする。そして、化粧パネル３を降下させれば、化粧パネル３を筐体２から取り外すことができる。このように、化粧パネル３は、据付ねじ部１０の締結が解除されても仮掛けされた状態であり、引掛け部８ａを吸込口空間６側に傾斜させることで仮掛けが解除されるため、化粧パネル３を落下させることなく筐体２から取り外すことができる。
【００２４】
以上のように、化粧パネル３の吸込口縁部７の対向する二辺に仮掛けレバー８が取り付けられているため、作業者などが仮掛けレバー８を操作しながら吸込口の縁部分を持つことができる。そして、吸込口縁部７の落込み穴部７ｃを介して軸部８ｂ及び８ｃが回動され、傾斜した仮掛けレバー８を垂直になると、仮掛けレバー８全体が下方に移動して吸込口縁部７の落込み穴部７ｃに落ち込み、仮掛けフック９に引掛かる。これにより、化粧パネルを手で支えながら落込み穴部７ｃから仮掛けレバー８を操作し、重力により仮掛けレバー８を仮掛けフック９に引掛けることができる。
【００２５】
軸受溝部７ａ及び７ｂに軸部８ｂ及び８ｃが係合した状態では、化粧パネル３の下方への移動が制限される。そして、そこから化粧パネル３を上方に移動させると、仮掛けレバー８は、落込み穴部７ｃ内をスライドするように下方に移動するため、軸部８ｂ及び８ｃが軸受溝部７ａ及び７ｂ内を下方に移動する。これにより、仮掛けレバー８が化粧パネル３に連動して仮掛けフック９から外れてしまうことを回避できる。仮掛けした状態のままで化粧パネル３の位置の微調整を行うことも容易になり、化粧パネル３と筐体２とをねじにより締結し、固定する作業を簡単に行うことができる。
【００２６】
化粧パネル３と筐体２とを固定することで化粧パネル３が上方に移動した場合にも、仮掛けレバー８は、落込み穴部７ｃ内を下方に移動するため、軸部８ｂ及び８ｃが軸受溝部７ａ及び７ｂ内を下方に移動する。このため、仮掛けレバー８が化粧パネル３に連動せず、仮掛けレバー８と仮掛けフック９との位置関係が維持され、化粧パネル３と筐体２とを締結する際も仮掛けレバー８が仮掛けフック９に掛かった状態を維持することができる。また、化粧パネル３と筐体２とを締結するねじを取り外したときに化粧パネル３が下方に移動しても、仮掛けレバー８と仮掛けフック９との位置関係が変わることが無く、仮掛けレバー８が仮掛けされた状態が維持される。このため、化粧パネル３を取り外す際に仮掛けフック９が誤って外れてしまい、化粧パネル３が落下することを防止できる。
【００２７】
なお、上記の説明において、引掛け部８ａがＵ字状にすることで仮掛け状態を安定して維持させているが、引掛け部８ａの形状は、Ｕ字状に限定されず、仮掛けレバー８を仮掛けフック９に引掛けるための空間８ｅが形成されていればよい。また、操作部８ｄの形状も限定されず、指触により認識し易く、引掛け部８ａを回動させる、仮掛けレバー８をスライド操作するなどが容易に行える形状であるとよい。
【００２８】
以上説明した、本実施の形態に係る空気調和機用室内機２０によれば、化粧パネル３の仮掛けレバー８を落込み穴部７ｃの下面から回動させ、重力により仮掛けレバー８を移動させて仮掛けレバー８を仮掛けフック９に引掛ける。そのため、化粧パネルを手で支えながら容易に仮掛けすることができる。化粧パネル３が仮掛された状態の化粧パネル３は、上方に移動させると、仮掛けレバー８が落込み穴部７ｃ内を下方に移動して軸部８ｂ及び８ｃが軸受溝部７ａ及び７ｂ内を下方に移動することになる。これにより、仮掛けレバー８と仮掛けフック９との位置関係が変化せず維持されるため、化粧パネル３の取付位置の微調整や取り外しなどの際にも仮掛け状態を維持することができる上に、意図せず仮掛けレバー８が仮掛けフック９から外れることを防止できる。
【００２９】
回動可能に収容された仮掛けレバー８の軸部８ｂ及び８ｃは、仮掛けレバー８を回動させて化粧パネル３に対して垂直にすることで仮掛けレバー８を落込み穴部７ｃに落ち込ませることができるため、仮掛けレバー８を仮掛けすることが容易である。
【００３０】
仮掛けレバー８の引掛け部８ａと軸部８ｂ及び８ｃとの間に設けられた操作部８ｄは、作業者などが指を添えることで仮掛けレバー８を回動またはスライド操作することができるため、作業を容易に行うことができる。
【００３１】
化粧パネル３は、仮掛けレバー８を仮掛けフック９に掛けた状態で、筐体２の四隅の据付ねじ部１０を締結し、筐体２に固定されるため、据え付け作業の際に化粧パネル３が落下することを回避し、化粧パネル３が安定した状態で作業を行うことができる。
【００３２】
実施の形態２．
図８は、本発明の実施の形態２に係る空気調和機の構成例を表す図である。図８の空気調和機は、室外機３０と、実施の形態１において説明した室内機２０とをガス冷媒配管４０、液冷媒配管５０により配管接続し、冷凍サイクルを構成する。室外機３０は、圧縮機３１、四方弁３２、室外熱交換器３３及び膨張弁３４を有している。なお、室外機３０及び室内機２０は、室外ユニットまたは室内ユニットと呼ばれるものでもよい。
【００３３】
圧縮機３１は、吸入した冷媒を圧縮して吐出する。ここで、特に限定するものではないが、圧縮機３１はたとえばインバータ回路等により、運転周波数を任意に変化させ、圧縮機３１の容量を変化させるものなどでよい。ここで、圧縮機３１の容量とは、単位時間あたりの冷媒を送り出す量を示す。四方弁３２は、たとえば冷房運転時と暖房運転時とによって冷媒の流れを切り換えるための弁である。
【００３４】
室外熱交換器３３は、冷媒と室外の空気との熱交換を行う。たとえば、暖房運転時においては蒸発器として機能し、冷媒を蒸発させ、気化させる。また、冷房運転時においては凝縮器として機能し、冷媒を凝縮して液化させる。
【００３５】
膨張弁３４は冷媒を減圧して膨張させるものであり、絞り装置、流量制御手段等から構成される。たとえば電子式膨張弁等で構成した場合には、図示しない制御手段等の指示に基づいて開度調整を行う。
【００３６】
室内機２０は、筐体２の内部に室内熱交換器２１を収容し、化粧パネル３により覆われている。化粧パネル３は、筐体２の仮掛けフック９に化粧パネル３の仮掛けレバー８を仮掛けした状態で固定される。室内熱交換器２１は、例えば室内空間１の空気と冷媒との熱交換を行う。暖房運転時においては凝縮器として機能し、冷媒を凝縮して液化させる。また、冷房運転時においては蒸発器として機能し、冷媒を蒸発させ、気化させる。
【００３７】
最初に、空気調和機における冷房運転について冷媒の流れに基づいて説明する。冷房運転においては、実線で示す接続関係となるように四方弁３２を切り替える。圧縮機３１により圧縮されて吐出した高温、高圧のガス冷媒は、四方弁３２を通過し、室外熱交換器３３に流入する。そして、室外熱交換器３３内を通過して、室外の空気と熱交換することで凝縮、液化した冷媒である液冷媒は、膨張弁３４へ流入する。膨張弁３４で減圧されて気液二相状態となった冷媒は室外機３０から流出する。
【００３８】
室外機３０を流出した気液二相冷媒は、液冷媒配管５０を通過して室内機２０に流入し、室内熱交換器２１を通過する。そして、例えば室内空間１の空気と熱交換することで蒸発、ガス化した冷媒であるガス冷媒は、室内機２０から流出する。
【００３９】
室内機２０から流出したガス冷媒はガス冷媒配管４０を通過して室外機３０に流入する。そして、四方弁３２を通過して再度圧縮機３１に吸入される。以上のようにして空気調和機の冷媒が循環し、空気調和による冷房を行う。
【００４０】
次に、暖房運転について冷媒の流れに基づいて説明する。暖房運転においては、点線で示す接続関係となるように四方弁３２を切り替える。圧縮機３１により圧縮されて吐出した高温、高圧のガス冷媒は、四方弁３２を通過して室外機３０から流出する。室外機３０を流出したガス冷媒は、ガス冷媒配管４０を通過して室内機２０に流入する。そして、室内熱交換器２１を通過中に、例えば室内空間１の空気と熱交換することで凝縮、液化した冷媒は室内機２０から流出する。
【００４１】
室内機２０から流出した冷媒は液冷媒配管５０を通過して室外機３０に流入する。そして、膨張弁３４で減圧されて気液二相状態となった冷媒は室外熱交換器３３に流入する。そして、室外熱交換器３３内を通過して、室外の空気と熱交換することで蒸発、ガス化した冷媒である液冷媒は、四方弁３２を通過して再度圧縮機３１に吸入される。以上のようにして空気調和機の冷媒が循環し、空気調和による暖房を行う。
【００４２】
上述した実施の形態では、四方向に空気を吹き出す四方向カセット形となる天井埋め込み式の室内機２０について説明したが、例えば、二方向、三方向等に空気を吹き出す室内機２０についても適用することができる。
【００４３】
以上説明した本実施の形態に係る空気調和機は、室内機２０の筐体２と化粧パネル３とを仮掛けフック９と仮掛けレバー８とにより仮掛けした状態で固定する。仮掛けレバー８は、回動させると重力により下方に移動して仮掛けフック９に引掛かるため、仮掛けレバー８が仮掛けフック９から外れにくい。そのため、安定した状態で化粧パネル３が仮掛けされ、化粧パネル３を室内機に設置することが容易である空気調和機を得られる。
【符号の説明】
【００４４】
１  室内空間、２  筐体、３  化粧パネル、４  吸込グリル、５  ベルマウス、６  吸込口空間、７  吸込口縁部、７ａ、７ｂ  軸受溝部、７ｃ  落込み穴部、８  仮掛けレバー、８ａ  引掛け部、８ｂ、８ｃ  軸部、８ｄ  操作部、８ｅ  空間、９  仮掛けフック、１０  据付ねじ部、１１  吹出口、２０  室内機、２１  室内熱交換器、３０  室外機、３１  圧縮機、３２  四方弁、３３  室外熱交換器、３４  膨張弁、４０  ガス冷媒配管、５０  液冷媒配管。
【図１】
0006463492.tif 000002
【図２】
0006463492.tif 000003
【図３】
0006463492.tif 000004
【図４】
0006463492.tif 000005
【図５】
0006463492.tif 000006
【図６】
0006463492.tif 000007
【図７】
0006463492.tif 000008
【図８】
0006463492.tif 000009